(57)【要約】      （修正有）【課題】原稿の画像読取と操作入力とを容易に行う画像処理装置及び画像処理方法を提供する。【解決手段】複合機１００の原稿画像判定部２０２は、自装置に予め設けられたカメラによる撮影画像データに原稿画像データが含まれるか否かを判定する。操作判定部２０３は、撮影画像データに、原稿画像データの処理の操作に対応したユーザーの手を示す操作画像データが含まれるか否かを判定する。画像処理部２０５は、操作画像データに対応する操作に基づいて、原稿画像データの処理を実行する。【選択図】図２
2016092516.tif 000002
【特許請求の範囲】
【請求項１】
自装置に予め設けられたカメラによる撮影画像データに原稿画像データが含まれるか否かを判定する原稿画像判定部と、
前記撮影画像データに、前記原稿画像データの処理の操作に対応したユーザーの手を示す操作画像データが含まれるか否かを判定する操作判定部と、
前記操作画像データに対応する操作に基づいて、前記原稿画像データの処理を実行する画像処理部と、
を備えることを特徴とする画像処理装置。
【請求項２】
前記撮影画像データに、ユーザーの顔を示す顔画像データが含まれるか否かを判定し、当該含まれた顔画像データに基づいて、ユーザー認証を実行するユーザー認証部を更に備える
請求項１に記載の画像処理装置。
【請求項３】
前記ユーザー認証が実行され、且つ、前記原稿画像データが送信される場合、前記画像処理部は、前記認証された顔画像データに紐付けされた送信先に前記原稿画像データを送信する
請求項２に記載の画像処理装置。
【請求項４】
前記原稿画像データを、前記カメラの撮影による弊害を是正した原稿画像データに補正する画像補正部を更に備える
請求項１−３のいずれか一項に記載の画像処理装置。
【請求項５】
音声入力部が自装置に設けられている場合、前記操作判定部が、前記音声入力部を介して入力された音声に、前記原稿画像データの処理の操作に対応する操作音声が含まれるか否かを判定し、
前記画像処理部は、前記操作音声に対応する操作に基づいて、前記原稿画像データの処理を実行する
請求項１−４のいずれか一項に記載の画像処理装置。
【請求項６】
自装置に予め設けられたカメラによる撮影画像データに原稿画像データが含まれるか否かを判定する原稿画像判定ステップと、
前記撮影画像データに、前記原稿画像データの処理の操作に対応したユーザーの手を示す操作画像データが含まれるか否かを判定する操作判定ステップと、
前記操作画像データに対応する操作に基づいて、前記原稿画像データの処理を実行する画像処理ステップと、
を備えることを特徴とする画像処理方法。
【発明の詳細な説明】
【技術分野】
【０００１】
本発明は、画像処理装置及び画像処理方法に関する。
【背景技術】
【０００２】
近年、情報機器のセキュリティ対策が求められている。例えば、プリンター、複写機、複合機等の画像処理装置においてもユーザー認証システムが導入されている。このユーザー認証システムでは、ユーザー名又はグループ名とパスワードとが予め登録され、ユーザーが操作パネルを介してユーザー名等を入力すると、入力されたユーザー名等が登録されたデータと照合されて、ユーザー認証が行われる。
【０００３】
しかしながら、このようなユーザー認証システムでは、ユーザーが画像処理装置のコピー機能やファクシミリ送信機能を利用する際に、事前にユーザー名又はグループ名等の文字入力やパスワード入力等のユーザー認証手続が必要になる。そのため、ユーザーに対する利便性が著しく低下するという課題がある。又、ユーザー名又はグループ名とパスワードとの組合せであるアカウント情報が他人に漏洩した場合、セキュリティ対策そのものが破綻するという課題がある。
【０００４】
このような課題を解決するために、例えば、特開２００９−１１３３６１号公報（特許文献１）には、外付けの認証デバイスからの認証信号を用いて、操作パネル手段ではなく認証制御部により個人認証を行う画像形成システムが開示されている。又、特開２００９−１５７４５５号公報（特許文献２）には、撮影装置により撮影された画像に対して顔画像認証を行ない、当該顔画像認証の結果に基づいて所定のファイルを印刷する印刷システムが開示されている。
【先行技術文献】
【特許文献】
【０００５】
【特許文献１】特開２００９−１１３３６１号公報
【特許文献２】特開２００９−１５７４５５号公報
【発明の概要】
【発明が解決しようとする課題】
【０００６】
しかしながら、特許文献１に記載の技術では、認証を行うために専用の認証デバイス（ハードウェア）が必要になるという課題がある。例えば、顔認証システムを導入する場合は、高感度なカメラを用意する必要がある。しかしながら、高感度カメラの用が認証機能のみとなると、コストが嵩むという課題が生じる。
【０００７】
又、特許文献２に記載の技術では、高価な高感度なカメラを、顔を撮影することのみに使用しており、コストパフォーマンスが悪いという課題がある。
【０００８】
一方、画像処理装置では、ユーザーが原稿読取の操作をする必要があり、従来と同様に、画像読取台や自動原稿給紙部に原稿を載置する必要がある。ここで、ユーザーが原稿を画像読取台等に載置して画像読取を完了した後に、この原稿の回収を忘れる可能性があり、セキュリティー上の課題がある。
【０００９】
そこで、本発明は、前記課題を解決するためになされたものであり、原稿の画像読取と操作入力とを容易に行うことが可能な画像処理装置及び画像処理方法を提供することを目的とする。
【課題を解決するための手段】
【００１０】
本発明の一の局面に係る画像処理装置は、原稿画像判定部と、操作判定部と、画像処理部と、を備える。原稿画像判定部は、自装置に予め設けられたカメラによる撮影画像データに原稿画像データが含まれるか否かを判定する。操作判定部は、前記撮影画像データに、前記原稿画像データの処理の操作に対応したユーザーの手を示す操作画像データが含まれるか否かを判定する。画像処理部は、前記操作画像データに対応する操作に基づいて、前記原稿画像データの処理を実行する。
【００１１】
本発明の一の局面に係る画像処理方法は、原稿画像判定ステップと、操作判定ステップと、画像処理ステップと、を備える。原稿画像判定ステップは、自装置に予め設けられたカメラによる撮影画像データに原稿画像データが含まれるか否かを判定する。操作判定ステップは、前記撮影画像データに、前記原稿画像データの処理の操作に対応したユーザーの手を示す操作画像データが含まれるか否かを判定する。画像処理ステップは、前記操作画像データに対応する操作に基づいて、前記原稿画像データの処理を実行する。
【発明の効果】
【００１２】
本発明の画像処理装置及び画像処理方法によれば、原稿の画像読取と操作入力とを容易に行うことが可能となる。
【図面の簡単な説明】
【００１３】
【図１】本発明に係る複合機の内部の全体構成を示す概念図である。
【図２】本発明の実施形態における複合機の機能ブロック図である。
【図３】本発明の実施形態の実行手順を示すためのフローチャートである。
【図４】本発明の実施形態における原稿画像データと操作画像データとが撮影された場合の一例を示す図（図４Ａ）と、本発明の実施形態における原稿画像データと操作画像データと顔画像データが撮影された場合の一例を示す図（図４Ｂ）とである。
【図５】本発明の実施形態における原稿画像データの補正の一例を示す図（図５Ａ）と、本発明の実施形態における原稿画像データの補正の一例を示す図（図５Ｂ）とである。
【図６】本発明の実施形態における原稿画像データの補正の一例を示す図（図６Ａ）と、本発明の実施形態における複合機からユーザーが立ち去る場合の一例を示す図（図６Ｂ）とである。
【図７】本発明の実施形態における音声入力部を用いた場合の一例を示す図（図７Ａ）と、本発明の実施形態における２つの原稿画像データが撮影された場合の一例を示す図（図７Ｂ）とである。
【発明を実施するための形態】
【００１４】
以下に、添付図面を参照して、本発明に係る画像処理装置及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００１５】
以下に、本発明の実施形態の一例として画像処理装置について説明する。尚、本発明の画像処理装置は、例えば、ファクシミリ、コピー、スキャナ、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１６】
複合機１００は、図１に示すように、操作部を介してユーザーから印刷ジョブの設定条件を受け付けると、画像読取部、画像処理部、搬送部、定着部等の各部を駆動し、当該印刷ジョブを提供する。又、複合機１００の画像処理部は、所定の端末装置に画像データを送信したり、当該端末装置から画像データを受信したりする。
【００１７】
又、複合機１００は、小型カメラ１０１を備えており、当該カメラ１０１を介して、ユーザーやユーザーがかざした原稿の画像データを取得する。又、複合機１００は、音声入力部１０２を備えており、当該音声入力部１０２を介して、ユーザーの音声を取得する。
【００１８】
尚、複合機１００の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、各駆動部に対応するドライバを内部バスによって接続している。
【００１９】
複合機１００のＣＰＵは、例えば、ＲＡＭを作業領域として利用し、ＲＯＭ、ＨＤＤ等に記憶されているプログラムを実行し、当該実行結果に基づいてドライバからのデータ、指示、信号、命令等を授受し、印刷ジョブの実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＨＤＤ等には、以下に説明する各部を実現するプログラムやデータが記憶されている。
【００２０】
次に、図２、図３を参照しながら、本発明の実施形態に係る構成及び実行手順について説明する。先ず、ユーザーが複合機１００の電源を投入すると、当該複合機１００の制御部２０１が各部を起動するとともに、カメラ１０１を起動させる（図３：Ｓ１０１）。起動したカメラ１０１は、画像データの取得を開始する。
【００２１】
又、制御部２０１は、カメラ１０１による画像データの取得を開始させると、その旨を原稿画像判定部２０２に通知する。当該通知を受けた原稿画像判定部２０２は、前記カメラ１０１による撮影画像データに原稿画像データが含まれるか否かを判定する（図３：Ｓ１０２）。
【００２２】
例えば、ユーザーが、図４Ａに示すように、前記カメラ１０１の撮像範囲１０１ａ（画像取込範囲）に入ると、当該カメラ１０１が、ユーザーを含む撮影画像データを取得し、原稿画像判定部２０２は、当該撮影画像データに前記原稿画像データが含まれるか否かを判定する。
【００２３】
ここで、原稿画像判定部２０２が判定する方法に特に限定は無い。例えば、原稿画像判定部２０２は、前記カメラ１０１により撮影画像データが定期的に取得されると、当該取得された撮影画像データに、所定のメモリーに予め登録された原稿画像データの特徴点が存在するか否かを判定する。前記原稿画像データの特徴点は、例えば、原稿の部分（長方形、四角形等）の形状に対応する点である。そして、前記撮影画像データに前記原稿画像データの特徴点が存在する場合、原稿画像判定部２０２は、前記存在した原稿画像データの特徴点で構成される領域の色が、所定のメモリーに予め登録された原稿の色（白色、灰色、グレー色等）であるか否かを判定する。前記領域の色が前記原稿の色である場合、原稿画像判定部２０２は、前記撮影画像データに前記原稿画像データが含まれると判定する。
【００２４】
前記判定の結果、前記撮影画像データに前記原稿画像データが含まれない場合（図３：Ｓ１０２ＮＯ）、例えば、ユーザーが複合機１００の前を通り過ぎただけの場合は、原稿画像判定部２０２は、前記撮影画像データを破棄し、Ｓ１０２へ戻って、前記撮影画像データの取得の度に、前記判定を繰り返す。
【００２５】
一方、Ｓ１０２において、前記判定の結果、前記撮影画像データに前記原稿画像データが含まれる場合（図３：Ｓ１０２ＹＥＳ）、例えば、ユーザーが手持ちの原稿をカメラ１０１にかざしている場合、原稿画像判定部２０２は、その旨を操作判定部２０３に通知する。当該通知を受けた操作判定部２０３は、前記撮影画像データに、前記原稿画像データの処理の操作に対応したユーザーの手を示す操作画像データが含まれるか否かを判定する（図３：Ｓ１０３）。
【００２６】
ここで、操作判定部２０３が判定する方法に特に限定は無い。例えば、操作判定部２０３は、前記カメラ１０１の撮影画像データに、所定のメモリーに予め登録された操作画像データの特徴点が存在するか否かを判定する。前記操作画像データの特徴点は、例えば、人の手の部位（手の甲、手の付根、指等）の形状に対応する点である。そして、前記撮影画像データに前記操作画像データの特徴点が存在する場合、操作判定部２０３は、前記存在した操作画像データの特徴点で構成される領域の色が、所定のメモリーに予め登録された人の手の色（肌色等）であるか否かを判定する。前記領域の色が前記人の手の色である場合、操作判定部２０３は、次に、前記存在した操作画像データのパターンと、所定のメモリーに予め登録された、前記原稿画像データの処理の操作を示す操作パターンとを比較する。そして、前記比較の結果、前記存在した操作画像データのパターンに対応する操作パターンが存在する場合、つまり、前記存在した操作画像データから、特定の処理の操作を一義的に決定できる場合、操作判定部２０３は、前記撮影画像データに前記操作画像データが含まれると判定する。
【００２７】
前記判定の結果、前記撮影画像データに前記操作画像データが含まれない場合（図３：Ｓ１０３ＮＯ）、例えば、ユーザーが指示に迷ってカメラ１０１に手をかざしていない場合、ユーザーが、操作に対応しない手をカメラ１０１にかざしている場合は、操作判定部２０３は、前記撮影画像データを破棄し、Ｓ１０２へ戻って、前記撮影画像データの取得の度に、前記判定を繰り返す。
【００２８】
一方、Ｓ１０３において、前記判定の結果、前記撮影画像データに前記操作画像データが含まれる場合（図３：Ｓ１０３ＹＥＳ）、例えば、図４Ａに示すように、ユーザーが、所定の操作（例えば、３部印刷）に対応する手（人差し指、中指、薬指を立てた三本指）をカメラ１０１にかざしている場合、操作判定部２０３は、その旨をユーザー認証部２０４に通知する。当該通知を受けたユーザー認証部２０４は、ユーザー認証を実行するか否かを決定する（図３：Ｓ１０４）。
【００２９】
ここで、ユーザー認証部２０４が決定する方法に特に限定は無い。例えば、ユーザー認証部２０４は、所定のメモリーに予め記憶されたユーザー認証実行情報を参照する。前記ユーザー認証実行情報は、例えば、管理者等により予め記憶可能な情報であり、ユーザー認証を実行する旨の情報（ＯＮ）か、ユーザー認証を実行しない旨の情報（ＯＦＦ）のいずれかが記憶される。これにより、特定のユーザーのみカメラ１０１の利用を許可するか、不特定のユーザーでもカメラ１０１の利用を許可するかを選択させることが出来る。
【００３０】
ここで、例えば、ユーザー認証実行情報にＯＮが記憶されている場合、ユーザー認証部２０４は、ユーザー認証を実行すると決定し（図３：Ｓ１０４ＹＥＳ）、前記撮影画像データに、ユーザーの顔を示す顔画像データが含まれるか否かを判定する（図３：Ｓ１０５）。
【００３１】
ここで、ユーザー認証部２０４が判定する方法に特に限定は無い。例えば、ユーザー認証部２０４は、前記カメラ１０１の撮影画像データに、所定のメモリーに予め登録された人の顔を示す顔画像データの特徴点が存在するか否かを判定する。前記顔画像データの特徴点は、例えば、人の顔の部位（目、鼻、口、繭、耳等）の形状に対応する点である。そして、前記撮影画像データに前記顔画像データの特徴点が存在する場合、ユーザー認証部２０４は、前記存在した顔画像データの特徴点で構成される領域の色が、所定のメモリーに予め登録された人の顔の色（肌色等）であるか否かを判定する。前記領域の色が前記人の顔の色である場合、ユーザー認証部２０４は、前記撮影画像データに前記顔画像データが含まれると判定する。
【００３２】
前記判定の結果、前記撮影画像データに前記顔画像データが含まれない場合（図３：Ｓ１０５ＮＯ）、例えば、ユーザーの顔が前記カメラ１０１の撮像範囲１０１ａに含まれていない場合、ユーザー認証部２０４は、前記撮影画像データを破棄し、Ｓ１０２へ戻って、前記撮影画像データの取得の度に、前記判定を繰り返す。
【００３３】
一方、Ｓ１０５において、前記判定の結果、前記撮影画像データに前記顔画像データが含まれる場合（図３：Ｓ１０５ＹＥＳ）、例えば、図４Ｂに示すように、カメラ１０１の撮像範囲１０１ａに、原稿も操作を示す手もユーザーの顔も含まれている場合、ユーザー認証部２０４は、前記顔画像データに基づいて、ユーザー認証を実行する（図３：Ｓ１０６）。具体的には、ユーザー認証部２０４が、所定のメモリーに予め登録された許可顔画像データを参照する。前記許可顔画像データは、複合機１００の使用を許可されたユーザーの顔の画像データである。そして、ユーザー認証部２０４は、前記顔画像データと前記許可顔画像データとを比較し、両者が一致（同等）するか否かを判定する。前記判定は、例えば、前記顔画像データの顔のパターンが前記許可顔画像データの顔のパターンと同一（同等）であるか否かの判定によりなされる。
【００３４】
前記判定の結果、前記顔画像データと前記許可顔画像データとが一致しない場合（図３：Ｓ１０６ＮＯ）は、ユーザー認証部２０４は、前記撮影画像データを破棄し、Ｓ１０２へ戻って、前記撮影画像データの取得の度に、前記判定を繰り返す。
【００３５】
一方、Ｓ１０６において、前記顔画像データと前記許可顔画像データとが一致する場合（図３：Ｓ１０６ＹＥＳ）、ユーザー認証部２０４は、その旨を画像処理部２０５に通知する。当該通知を受けた画像処理部２０５は、前記操作画像データに対応する操作に基づいて、前記原稿画像データの処理を実行する。
【００３６】
又、Ｓ１０４において、例えば、ユーザー認証実行情報にＯＦＦが記憶されている場合、ユーザー認証部２０４は、ユーザー認証を実行しないと決定し（図３：Ｓ１０４ＮＯ）、その旨を画像処理部２０５に通知する。当該通知を受けた画像処理部２０５は、前記操作画像データに対応する操作に基づいて、前記原稿画像データの処理を実行する。
【００３７】
ここで、画像処理部２０５が実行する方法に特に限定は無い。例えば、画像処理部２０５は、先ず、画像補正部２０６に通知する。当該通知を受けた画像補正部２０６は、前記原稿画像データを、前記カメラ１０１の撮影による弊害を是正した原稿画像データに補正する（図３：Ｓ１０７）。
【００３８】
ここで、画像補正部２０６が補正する方法に特に限定は無い。例えば、図５Ａに示すように、カメラ１０１の角度やユーザーの原稿の持ち方によって、前記原稿画像データの形状が、長方形や正方形にならずに、台形形状となる場合、画像補正部２０６が、前記原稿画像データの台形形状５００の長辺５０１と短辺５０２とを特定し、当該特定した長辺５０１を基準として、前記特定した短辺５０２を長辺５０１と一致するように引き延ばす補正をする。この補正は、前記短辺５０２に近い画像ほど、補正の程度が著しくなる。これにより、画像補正部２０６は、前記原稿画像データの形状５００を長方形や正方形の形状とすることが可能となる。
【００３９】
又、例えば、図５Ｂに示すように、原稿を手で持つため、原稿画像データ５０３のうち、手で隠れる部分５０３ａが発生する。そこで、画像補正部２０６は、前記原稿画像データ５０３の隠れる部分５０３ａに対して、当該原稿画像データ５０３の背景色を塗り潰す補正をする。ここで、背景色は、前記原稿画像データ５０３の全体で、一番多く使用されている色が用いられる。又は、前記背景色は、前記隠れる部分５０３ａに近接する近接箇所５０４の色がサンプリングされ、当該サンプリングされた色が用いられる。又、前記隠れる部分５０３ａは、前記近接箇所５０４の原稿画像データ５０３の端部５０５により、当該原稿画像データ５０３の全体が長方形又は正方形になるように推定される。これにより、前記原稿画像データ５０３を、違和感の無い原稿画像データとすることが出来る。
【００４０】
又、例えば、図６Ａに示すように、原稿台の原稿から画像データを読み取る場合と異なり、前記カメラ１０１による原稿画像データ６００は、原稿を挟み込む圧力がかからないため、端部６０１がカールする可能性がある。カールが著しい場合は、原稿の本体と原稿のカールしている端部とが重なり、前記原稿画像データ６００に、画像データのない空白部分６００ａが発生する。そこで、画像補正部２０６は、前記原稿画像データ６００の空白部分６００ａに対して、当該原稿画像データ６００の背景色を塗り潰す補正をする。前記背景色は、上述と同様の色が採用される。又、前記空白部分６００ａは、上述と同様に、前記原稿画像データ６００のカールしていない他の端部６０２に基づいて推定される。これにより、原稿のカールやめくれ上がりであっても、違和感の無い原稿画像データ６００を得ることが出来る。
【００４１】
さて、画像補正部２０６が補正を完了すると、その旨を画像処理部２０５に通知し、当該通知を受けた画像処理部２０５は、前記操作画像データに対応する操作に基づいて、前記補正後の原稿画像データの処理を実行する（図３：Ｓ１０８）。例えば、図４Ａに示すように、操作が３部印刷である場合、画像処理部２０５は、前記原稿画像データに基づいて３部印刷を実行する。又、図４Ｂに示すように、操作（グーを見せた手）がファクシミリ送信である場合、画像処理部２０５は、予め設定された送信先（宛先）に前記原稿画像データをファクシミリ送信する。又、ユーザー認証が実行された場合、画像処理部２０５は、前記認証された顔画像データに紐付けされた送信先に前記原稿画像データをファクシミリ送信する。ここで、送信先は、ユーザー自身のファクシミリ番号でも他社のファクシミリ番号でも良い。更に、ファクシミリ送信は、Ｅメール送信でも構わない。これにより、ユーザーは複合機１００の操作部に一切触れることなく、原稿画像データの処理を進めることが可能となり、ユーザーの利便性を高めることが出来る。
【００４２】
尚、本発明では、手書きの絵や大きな文字等の高品質の画像が要求されない原稿を処理するのに好適であり、非常に少ない操作で処理を実行出来る利点がある。例えば、従来であれば、どのような種類の原稿でも、原稿台や自動原稿給送部を利用するため、原稿載置の手間、指示入力の手間、原稿回収の手間が存在する。本発明では、これらの手間を確実に低減できる。
【００４３】
又、ユーザーは、処理の完了を確認出来れば、図６Ｂに示すように、そのまま複合機１００から立ち去ることが出来る。つまり、原稿を原稿台に載置させる必要が無いため、原稿の回収忘れを確実に防止し、セキュリティーを向上させることが出来る。又、本来、セキュリティーの目的で使用されるカメラ１０１を上述のように転用することで、当該カメラ１０１のコストパフォーマンスを向上させることが出来る。尚、本発明では、内容が細かい原稿の処理には不向きであるものの、カメラ１０１の性能の向上により、ある程度、内容が細かい原稿であっても処理は出来る。
【００４４】
ところで、上述では、手による入力操作が単純な場合について説明したが、例えば、手の指の数に対応しない６部印刷や複雑な送信先への送信については、ユーザーの音声により対応することが出来る。例えば、図７Ａに示すように、音声入力部１０２のマイクが複合機１００に設けられている場合、Ｓ１０３において、ユーザーが操作に対応する音声（例えば、６部印刷）を発すると、操作判定部２０３が、前記音声入力部１０２を介して入力された音声に、前記原稿画像データの処理の操作に対応する操作音声が含まれるか否かを判定する（図３：Ｓ１０３）。ここで、操作判定部２０３が音声で判定する方法に特に限定は無い。例えば、操作判定部２０３は、前記入力された音声と、所定のメモリーに予め登録された、前記原稿画像データの処理の操作を示す操作音声とを比較する。そして、前記比較の結果、前記入力された音声に操作音声が存在する場合、操作判定部２０３は、前記入力された音声に前記操作音声が含まれると判定する。これにより、ユーザーの手の操作画像データのみに頼ることなく、ユーザーの音声でも、前記原稿画像データの処理の操作を入力することが可能となる。
【００４５】
又、上述では、原稿が一枚の場合について説明したが、例えば、原稿が二枚の場合については、複数の原稿画像データにより対応することが出来る。例えば、図７Ｂに示すように、ユーザーがカメラ１０１に対して両手で二枚の原稿をかざしている場合、Ｓ１０２において、原稿画像判定部２０２は、前記カメラ１０１による撮影画像データに２つの原稿画像データ７００、７０１が含まれると判定する（図３：Ｓ１０２ＹＥＳ）。
【００４６】
ここで、前記含まれる２つの原稿画像データ７００、７０１がいずれも長方形である場合、原稿画像判定部２０２が、当該２つの原稿画像データ７００、７０１を、１つの原稿画像データとして結合する。一方、前記含まれる２つの原稿画像データ７０２、７０３の一方が縦長の長方形で、他方が横長の長方形である場合、原稿画像判定部２０２が、縦長の長方形の原稿画像データを横長にするか、横長の長方形の原稿画像データを縦長にするかして、１つの原稿画像データとするか、２つの原稿画像データ７０２、７０３をそのまま１つの原稿画像データとして結合する。これにより、２ｉｎ１の処理を実行させることが出来る。又、２ｉｎ１の処理にするか、１つの原稿画像データ７００、７０１毎に処理するかを、例えば、ユーザーの音声により選択させるよう構成しても良い。
【００４７】
尚、本発明の実施形態では、複合機１００（画像処理装置）が各部を備えるよう構成したが、当該各部を実現するプログラムを記憶媒体に記憶させ、当該記憶媒体を提供するよう構成しても構わない。当該構成では、前記プログラムを画像処理装置に読み出させ、当該画像処理装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００４８】
以上のように、本発明に係る画像処理装置及び画像処理方法は、複合機はもちろん、複写機、プリンター等に有用であり、原稿の画像読取と操作入力とを容易に行うことが可能な画像処理装置及び画像処理方法として有効である。
【符号の説明】
【００４９】
１００  複合機
１０１  カメラ
１０２  音声入力部
２０１  制御部
２０２  原稿画像判定部
２０３  操作判定部
２０４  ユーザー認証部
２０５  画像処理部
２０６  画像補正部
【図２】
2016092516.tif 000003
【図３】
2016092516.tif 000004
【図１】
2016092516.tif 000005
【図４】
2016092516.tif 000006
【図５】
2016092516.tif 000007
【図６】
2016092516.tif 000008
【図７】
2016092516.tif 000009